(57)【要約】      （修正有）【課題】コネクタを用いずに、点灯装置と発光体との接続を信頼性良く行える照明装置およびこの照明装置を具備する照明器具を提供する。【解決手段】照明装置１は、基板８の一面８ａ側に実装された発光素子９および発光素子９に導電パターンを介して電気接続された一対のパッド１０ｂを有する発光体２と、基板８の他面８ｂ側が接触するように発光体２が取り付けられる基板取付面２０を有する筐体４と、一対のパッドに電気接続される一対の出力線１２ｂが接続されている発光素子９を点灯する点灯装置５と、一対のパッドにおいて一対の出力線を基板８との間で挟み込むように基板８の一面８ａ側に設けられる絶縁体６と、を具備している。【選択図】図１
2015162410.tif 000002
【特許請求の範囲】
【請求項１】
基板、この基板の一面側に実装された発光素子およびこの発光素子に導電パターンを介して電気接続された一対のパッドを有する発光体と；  前記基板の他面側が接触するように前記発光体が取り付けられる基板取付面を有する筐体と；  前記一対のパッドに電気接続される一対の出力線が接続されている前記発光素子を点灯する点灯装置と；  前記一対のパッドにおいて前記一対の出力線を前記基板との間で挟み込むように前記基板の一面側に設けられる絶縁体と；を具備していることを特徴とする照明装置。
【請求項２】
前記基板は、前記一対の出力線を他面側から一面側に導くとともに前記一対のパッドに案内する案内孔が設けられていることを特徴とする請求項１記載の照明装置。
【請求項３】
前記発光体との間で前記一対の出力線を挟み込む前記絶縁体の下面および前記一対のバッドの少なくとも一方は、凹凸面に形成されていることを特徴とする請求項１または２記載の照明装置。
【請求項４】
前記発光体および前記絶縁体は、ねじにより共締めされて前記筐体の基板取付面に取り付けられていることを特徴とする請求項１ないし３いずれか一記載の照明装置。
【請求項５】
前記筐体は、前記点灯装置を収納し、一端側に前記点灯装置に外部電源を給電する口金および他端側に前記基板取付面を有するように形成されている請求項１ないし４いずれか一記載の照明装置と；  この照明装置の前記口金が接続されるソケットを有する器具本体と；を具備していることを特徴とする照明器具。
【発明の詳細な説明】
【技術分野】
【０００１】
本発明の実施形態は、発光体およびこの発光体の発光素子を点灯する点灯装置を備える照明装置およびこの照明装置を配設する照明器具に関する。
【背景技術】
【０００２】
照明装置としてのＬＥＤ電球は、筐体（装置本体）の一端側に口金、他端側にＬＥＤモジュール（発光体）を備えていると共に、筐体内にＬＥＤを点灯する点灯装置を収納している。そして、点灯装置とＬＥＤモジュールとの接続は、ＬＥＤモジュールの基板に設けた例えば雌コネクタに、点灯装置の出力線に設けた例えば雄コネクタを装着することによって行っている（例えば特許文献１参照。）。また、点灯装置の出力線をＬＥＤモジュールの入力端子にはんだ付けすることによって行っている。
【先行技術文献】
【特許文献】
【０００３】
【特許文献１】特開２０１３−１８６９８５号公報（第６頁、第３図）
【発明の概要】
【発明が解決しようとする課題】
【０００４】
ＬＥＤモジュールでのコネクタの配設空間は、大きくできず、また、コネクタは、ＬＥＤからの熱影響を受け易い。このため、コネクタは、その形状、大きさや材質などが制約を受けて使用できるものが限定されている。また、点灯装置の出力線をＬＥＤモジュールの入力端子にはんだ付けする方法は、そのはんだ付けに手間や時間を要するとともに、はんだ付け不良の発生が危惧されるという問題がある。  
【０００５】
本実施形態は、コネクタを用いずに、点灯装置と発光体との接続を信頼性良く行える照明装置およびこの照明装置を具備する照明器具を提供することを目的とする。
【課題を解決するための手段】
【０００６】
本実施形態の照明装置は、発光体、筐体、点灯装置および絶縁体を有して構成される。発光体は、基板、発光素子および一対のパッドを有して形成される。発光素子は、基板の一面側に実装される。一対のパッドは、基板の一面側に設けられて、発光素子に導電パターンを介して電気接続される。  
【０００７】
筐体は、基板取付面を有し、この基板取付面に基板の他面側が接触するように発光体が取り付けられる。点灯装置は、発光素子を点灯するものであり、発光体の一対のパッドに電気接続される一対の出力線が接続されている。絶縁体は、発光体の一対のパッドにおいて、点灯装置の一対の出力線を発光体の基板との間で挟み込むように基板の一面側に設けられる。
【発明の効果】
【０００８】
本実施形態の照明装置によれば、点灯装置の一対の出力線は、発光体の一対のパッドにおいて、発光体の基板と絶縁体とにより挟み込まれるので、一対のパッドに電気接続して固定し、コネクタやはんだに依らずに発光体に接続することが期待できる。
【図面の簡単な説明】
【０００９】
【図１】本発明の第１の実施形態を示す照明装置の概略側断面図である。
【図２】同上、照明装置のカバー体を取り外した状態の概略上面図である。
【図３】同上、照明装置のカバー体および絶縁体を取り外した状態の概略上面図である。
【図４】同上、図４のＡ部分の拡大図である。
【図５】本発明の第２の実施形態を示す照明装置のカバー体および絶縁体を取り外した状態の概略上面図である。
【図６】本発明の第３の実施形態を示す照明器具の一部切り欠き概略側面図である。
【発明を実施するための形態】
【００１０】
以下、本発明の一実施の形態について、図面を参照して説明する。まず、本発明の第１の実施形態について説明する。  
【００１１】
本実施形態の照明装置１は、電球用ソケットに着脱されるミニクリプトン電球タイプのＬＥＤ電球であり、図１に示すように、発光体２、取付け体３を有する筐体４、点灯装置５、絶縁体としての絶縁板６およびカバー体７を有して構成されている。  
【００１２】
発光体２は、基板８、発光素子としての複数個のＬＥＤ素子９および一対のパッド１０ａ，１０ｂ（図１中、一方のみを示す。）を有して形成されている。発光体２は、発光モジュールやＬＥＤモジュールとも称されている。  
【００１３】
基板８は、高熱伝導率を有する金属板例えば厚さ１．０ｍｍのアルミニウム（Ａｌ）板からなり、図３に示すように、円盤に形成されている。基板８は、その一面８ａに不図示の絶縁層が形成され、この絶縁層上に複数個のＬＥＤ素子９が実装されている。  
【００１４】
複数個のＬＥＤ素子９は、基板８の外周縁８ｄ側に実装され、基板８の中心８ｃに対して同心円状となり、ほぼ等間隔となるように設けられている。そして、複数個のＬＥＤ素子９は、絶縁層上に形成された導電パターン１１により直列接続されて、絶縁層上に設けられた一対のパッド１０ａ，１０ｂに接続されている。ＬＥＤ素子９は、パッケージ品であり、例えば白色光を放射するものが用いられている。  
【００１５】
一対のパッド１０ａ，１０ｂは、基板８の一面８ａ側の絶縁層上に所定の絶縁間隔を有して並設されている。一対のパッド１０ａ，１０ｂは、本実施形態では、ＬＥＤ素子９よりも基板８の中心８ｃ側に設けられて、相応の大きさを有する例えば長方形に形成されている。そして、一対のパッド１０ａ，１０ｂは、導電パターン１１を介して直列接続されたＬＥＤ素子９に電気接続されている。一対のパッド１０ａ，１０ｂおよび導電パターン１１は、それぞれ例えば厚さ３５μｍの金属層、例えば銅（Ｃｕ）、この銅（Ｃｕ）の表面にニッケル（Ｎｉ）メッキされ、さらに銀（Ａｇ）メッキされた導電材料からなっている。  
【００１６】
一対のパッド１０ａ，１０ｂには、点灯装置５の一対の出力線１２ａ，１２ｂが接続されている。図４に示すように、基板８には、一対のパッド１０ａ，１０ｂの近傍であって一対のパッド１０ａ，１０ｂと等距離の位置に、挿通孔１３およびこの挿通孔１３に連通する案内孔１４ａ，１４ｂが形成されている。挿通孔１３は、例えば円孔に形成され、一対の出力線１２ａ，１２ｂを基板８の他面８ｂ（図に示す。）側から一面８ａ側に導くことのできる大きさに形成されている。挿通孔１３は、一対の出力線１２ａ，１２ｂを基板８の他面８ｂ側から一面８ａ側に導く案内孔として機能している。  
【００１７】
案内孔１４ａ，１４ｂは、挿通孔１３からパッド１０ａ，１０ｂに向かう長方形の角孔に形成されている。案内孔１４ａは、出力線１２ａをパッド１０ａに配線し易くし、案内孔１４ｂは、出力線１２ｂをパッド１０ｂに配線し易くする機能を有している。  
【００１８】
また、基板８には、ねじ１５（図１に示す。）を通すための挿入孔１６が形成されている。また、本実施形態では、図３に示すように、基板８の外周縁８ｄには、中心８ｃに対して等間隔例えば１２０°間隔で、複数個（３個）の切り欠き部１７が形成されている。そして、基板８は、ＬＥＤ素子９および一対のパッド１０ａ，１０ｂを除く絶縁層上に、導電パターン１１等を絶縁する例えば白色レジスト１８が塗布されている。  
【００１９】
基板８（発光体２）は、切り欠き部１７において、ねじ１９により基板取付面２０に固定されている。基板取付面２０は、本実施形態では、筐体４の一部を構成する放熱板２１に形成されている。  
【００２０】
筐体４は、図１に示すように、本実施形態においては、高熱伝導率を有する金属材料例えばアルミニウム（Ａｌ）からなる外ケース２２と、取付け体３とから形成されている。筐体４は、全体として、一端側４ａから他端側４ｂに緩やかに径大する略逆円錐台の筒状に形成されている。そして、外ケース２２は、その他端側４ｂに内側に突出するボス２３が設けられている。このボス２３は、周回方向に１２０゜間隔で３個が形成されている。  
【００２１】
また、外ケース２２の他端側４ｂの内面４ｅには、嵌合凹部２４が周回方向に等間隔で複数個形成されている。そして、外ケース２２の他端側４ｂの端面４ｄは、平面に形成されている。外ケース２２は、アルミダイキャストにより、上述のように成型されている。  
【００２２】
そして、筐体４（外ケース２２）の端面４ｄに放熱板２１が載せられている。放熱板２１は、不図示の接着剤例えばシリコーン接着剤により、端面４ｄに固定されている。放熱板２１は、高熱伝導率を有する比較的肉厚の金属板例えばアルミニウム板からなり、図３に示すように、円盤状に形成されている。放熱板２１の表面２１ａは、平面状の基板取付面２０となっている。  
【００２３】
放熱板２１には、図１に示すように、ねじ１５を螺着するねじ孔２５および一対の出力線１２ａ，１２ｂを通す通孔２６が形成されている。ねじ孔２５は、基板８の挿入孔１６に対応して設けられ、通孔２６は、基板８の挿通孔１３に対応して設けられている。そして、放熱板２１の基板取付面２０には、発光体２が複数個のねじ１９（図２または図３に示す。）により取り付けられている。発光体２は、基板８の他面８ｂ側が基板取付面２０に接触（密接）するように取り付けられている。  
【００２４】
また、図２または図３に示すように、放熱板２１の外周縁２１ｄには、カバー体７の係止爪２７（図１に示す。）を通す切り欠き部２８が形成されている。切り欠き部２８は、外周方向に等間隔となるように、本実施形態では９０°間隔に形成されている。また、放熱板２１は、図１に示すように、筐体４の外ケース２２との間でカバー体７の係止爪２７を係止する係止溝２９を形成するように、外形の大きさが設定されている。なお、外ケース２２は、熱伝導性の良好な樹脂またはセラミクスなどで形成されてもよい。  
【００２５】
外ケース２２内には、その他端側４ｂから取付け体３が挿入されて取り付けられている。取付け体３は、一端側３ａが略円筒状に形成され、他端側３ｂが外ケース２２の内面４ｅに密接する外形形状の筒状に形成されている。そして、取付け体３は、電気絶縁性および高熱伝導性を有する合成樹脂、例えばポリブチレンテレフタレート（ＰＢＴ）樹脂により形成されている。  
【００２６】
取付け体３は、その他端側３ｂに設けた嵌合爪３０が外ケース２２の嵌合凹部２４に係止して外ケース２２に取り付けられている。嵌合爪３０は、周回方向に等間隔に嵌合凹部２４と同数が設けられている。  
【００２７】
そして、取付け体３は、その一端側３ａ（筐体４の一端側４ａ）の外面に凸条３１が螺旋状に形成されていて、この凸条３１に口金としてのＥ形口金３２が螺合されている。Ｅ形口金３２は、取付け体３の一端側３ａの外面にかしめられて固定されている。  
【００２８】
Ｅ形口金３２は、例えばＥ１７形であり、凸条３１に螺合されてかしめられて固定される雄ねじ部３３、この雄ねじ部３３の先端側３３ａに設けられる絶縁部３４およびこの絶縁部３４の頂点に設けられる頂上接続部３５を有して構成されている。  
【００２９】
雄ねじ部３３は、例えばアルミニウム（Ａｌ）からなり、底部３３ｂを有する略円筒状に形成され、頂上接続部３５は、例えば真鍮からなり、凸条の外面３５ａを有する略円柱状に形成されている。絶縁部３４は、例えばガラスまたはセラミックからなり、円錐状に形成されて、雄ねじ部３３の底部３３ｂに接着されて取り付けられ、頂点に頂上接続部３５を設けている。  
【００３０】
雄ねじ部３３および頂上接続部３５は、電球用ソケットを介して外部電源にそれぞれ電気接続される。絶縁部３４は、それぞれ金属である雄ねじ部３３および頂上接続部３５を離間して電気絶縁している。Ｅ形口金３２は、取付け体３に雄ねじ部３３が取り付けられることにより、筐体４の一端側４ａに取り付けられている。  
【００３１】
そして、Ｅ形口金３２と、金属である外ケース２２とは、取付け体３の外周面３ｄにより絶縁されている。外ケース２２は、高熱伝導率を有する例えばアルミニウム（Ａｌ）により形成されることにより、発光体２に発生した熱を迅速に伝熱して、外面４ｆから放出させる。したがって、外ケース２２が高熱伝導率かつ電気絶縁性を有する合成樹脂やセラミックで形成されるものであれば、取付け体３を外ケース２２と一体に成形して筐体４を形成してもよい。  
【００３２】
こうして、筐体４は、一端側４ａに口金としてのＥ形口金３２を設けており、他端側４ｂの端面４ｄに平面状の基板取付面２０を有する放熱板２１を設けている。そし
て、筐体４は、その内部に点灯装置５を収納している。  
【００３３】
点灯装置５は、回路基板３６および回路基板３６に実装された多種類の回路部品３７を備えて形成されている。回路基板３６は、ガラスエポキシ材などの合成樹脂板からなり、筐体４の一端側４ａ（取付け体３の一端側３ａ）から他端側４ｂ（取付け体３の他端側３ｂ）に亘る長形に形成されて、筐体４の一端側４ａから他端側４ｂに沿う方向に配設されている。取付け体３の内面３ｃには、一端側３ａから他端側３ｂに亘って、互いに正対する一対の基板取付溝３８，３８（図１中、一方のみを示す。）が直線状に設けられている。この一対の基板取付溝３８，３８に回路基板３６の幅方向の両端部が圧入されて取り付けられている。回路基板３６は、一端側３６ｃから他端側３６ｄに向かうにつれ段階的に幅広に形成され、回路部品３７の実装面積を可能な限り大きくして、Ｅ形口金３２内を含む筐体４内に筐体４の一端側４ａから他端側４ｂに沿う方向に配設されている。  
【００３４】
回路基板３６は、少なくとも一面３６ａに回路部品３７が実装されている。回路部品３７は、トランスＴ１、コンデンサＣ１，Ｃ２および抵抗Ｒ１などの多数の部品からなっている。そして、回路基板３６の一端側３６ｃには、不図示の入力端子、他端側３６ｄには、不図示の出力端子が設けられている。入力端子には、一対の入力線３９ａ，３９ｂが接続され、出力端子には、一対の出力線１２ａ，１２ｂ（図１中、一方のみを示す。）が接続されている。入力線３９ａ，３９ｂは、Ｅ形口金３２の頂上接続部３５および雄ねじ部３３に接続されている。また、出力線１２ａ，１２ｂは、放熱板２１の通孔２６および基板８の挿通孔１３を通って基板８の一面８ａ側に導出され、基板８の一面８ａ側に設けられた一対のパッド１０ａ，１０ｂに電気接続されている。  
【００３５】
点灯装置５は、回路部品３７および不図示の配線パターンなどにより、発光体２のＬＥＤ素子９を点灯する点灯回路を形成している。点灯回路は、入力端子に外部電源の交流電圧（ＡＣ１００Ｖ）が印加されると、交流電圧を所定の直流電圧に変換し、出力端子からＬＥＤ素子９に定電流を供給するように形成されている。そして、点灯装置５の一対の出力線１２ａ，１２ｂは、絶縁板６およびねじ１５を用いて、発光体２の一対のパッド１０ａ，１０ｂに電気接続されている。  
【００３６】
絶縁板６は、例えばポリブチレンテレフタレート（ＰＢＴ）樹脂からなり、図２に示すように、基板８の一面８ａ側に設けられ、基板８に実装された複数個のＬＥＤ素子９の内側に位置する円盤に形成されている。絶縁板６の直径（大きさ）および厚さは、ＬＥＤ素子９から放射される放射光を遮ることのないように設定されている。絶縁板６の厚さは、例えば２．０ｍｍとすることができる。絶縁板６の中心には、図１に示すように、基板８の挿入孔１６に対応して挿通孔４０が形成されている。  
【００３７】
そして、絶縁板６は、挿通孔４０および基板８の挿入孔１６を通したねじ１５が放熱板２１のねじ孔２５に完全にねじ込まれることにより、基板８の一面８ａ側に取り付けられている。このとき、点灯装置５の一対の出力線１２ａ，１２ｂは、発光体２の一対のパッド１０ａ，１０ｂにおいて、基板８の一面８ａ側と絶縁板６とにより挟まれて固定されている。一対の出力線１２ａ，１２ｂは、図４に示すように、それぞれの先端部１２ｃ，１２ｃがパッド１０ａ，１０ｂ上に置かれて、基板８および絶縁板６により挟まれるようにしている。出力線１２ａ，１２ｂの先端部１２ｃ，１２ｃは、被覆が剥ぎ取られている。  
【００３８】
このように、絶縁板６は、発光体２の一対のパッド１０ａ，１０ｂにおいて点灯装置５の出力線１２ａ，１２ｂを基板８との間で挟み込むように形成されて、基板８の一面８ａ側に設けられている。そして、ねじ１５が絶縁板６の挿通孔４０および基板８の挿入孔１６を通して放熱板２１のねじ孔２５にねじ込まれていることにより、発光体２および絶縁体６は、ねじ１５により共締めされて筐体４の基板取付面２０に取り付けられている。  
【００３９】
図１において、カバー体７は、発光体２を覆うように筐体４の他端側４ｂに設けられている。カバー体７は、透光性を有する樹脂材料からなっている。ここでは、例えばポリカーボネート（ＰＣ）樹脂により、他端側７ｂが閉塞され一端側７ａが開口されるとともに発光体２を覆うように略球面状に成型されている。  
【００４０】
そして、カバー体７は、一端側７ａの係止爪２７が筐体４の他端側４ｂの係止溝２９に係止して筐体４に取り付けられている。係止爪２７は、カバー体７の一端側７ａの開口において、本実施形態では周回方向に等間隔に４個が形成されている。カバー体７は、係止爪２７が放熱板２１の切り欠き部２８に嵌め込まれた後、回動されることにより、係止溝２９に係止されている。  
【００４１】
次に、第１の実施形態の作用について述べる。  
【００４２】
点灯装置５の出力線１２ａ，１２ｂは、発光体２の一対のパッド１０ａ，１０ｂに直接的に接続される。この接続作業は、カバー体７を筐体４の他端側４ｂに取り付ける前に行われる。  
【００４３】
一対の出力線１２ａ，１２ｂを一対のパッド１０ａ，１０に接続するには、まず、一対の出力線１２ａ，１２ｂを筐体４内から放熱板２１の通孔２６および基板８の挿通孔１３を通して、基板８の一面８ａ側に引き出す。そして、出力線１２ａを基板８の案内孔１４ａに沿ってパッド１０ａに導いて、その先端部１２ｃをパッド１０ａ上に位置させる。また、出力線１２ｂを基板８の案内孔１４ｂに沿ってパッド１０ｂに導いて、その先端部１２ｃをパッド１０ｂ上に位置させる。一対の出力線１２ａ，１２ｂは、案内孔１４ａ，１４ｂに沿って容易に一対のパッド１０ａ，１０ｂに導かれる。この後、一対の出力線１２ａ，１２ｂを案内孔１４ａ，１４ｂにおいて、薄肉のテープの貼付や接着剤の塗布などによって仮固定するとよい。  
【００４４】
そして、一対の出力線１２ａ，１２ｂのそれぞれの先端部１２ｃ，１２ｃをパッド１０ａ，１０ｂ上に位置させた状態で、一対のパッド１０ａ，１０ｂを覆うように、基板８の一面８ａ側に絶縁板６を載せる。このとき、絶縁板６の挿通孔４０と基板８の挿通孔１３とを位置合わせして、絶縁板６を基板８に載せる。  
【００４５】
そして、ねじ１５を絶縁板６の挿通孔４０および基板８の挿入孔１６に通して放熱板２１のねじ孔２５に完全にねじ込む。  
【００４６】
一対の出力線１２ａ，１２ｂのそれぞれの先端部１２ｃ，１２ｃは、一対のパッド１０ａ，１０ｂ上において、基板８および絶縁板６に挟み込まれて固定されるとともに、一対のパッド１０ａ，１０ｂに電気接続される。ねじ１５を放熱板２１のねじ孔２５に強固にねじ込むことにより、一対の出力線１２ａ，１２ｂのそれぞれの先端部１２ｃ，１２ｃは、絶縁板６により、強く基板８側に押圧される。一対の出力線１２ａ，１２ｂは、一対のパッド１０ａ，１０ｂに信頼性良く固定されるとともに電気接続される。これにより、点灯装置５から発光体２のＬＥＤ素子９に給電可能となる。この後、カバー体７を筐体４の他端側４ｂに取り付ける。  
【００４７】
照明装置（ＬＥＤ電球）１は、照明器具の電球用ソケットに装着される。そして、Ｅ形口金３２に外部電源の交流電圧が印加すると、点灯装置５が動作し、点灯装置５から発光体２の複数個のＬＥＤ素子９に所定の定電流（電力）が供給される。複数個のＬＥＤ素子９は、点灯して、白色光を放射する。白色光は、カバー体７を透過して前方側の外部空間に放射される。  
【００４８】
本実施形態の照明装置（ＬＥＤ電球）１によれば、点灯装置５の一対の出力線１２ａ，１２ｂは、発光体２の一対のパッド１０ａ，１０ｂにおいて、発光体２の基板８と絶縁体６とにより挟み込まれるので、一対のパッド１０ａ，１０ｂに電気接続して固定し、コネクタやはんだに依らずに発光体２に接続することができて、これにより、安価に製造できるという効果を有する。  
【００４９】
また、基板８は、点灯装置５の一対の出力線１２ａ，１２ｂを他面８ｂ側から一面８ａ側に導くとともに一対のパッド１０ａ，１０ｂに案内する案内孔１４ａ，１４ｂが設けられているので、一対の出力線１２ａ，１２ｂのそれぞれの先端部１２ｃ，１２ｃを一対のパッド１０ａ，１０ｂ上に容易に導くことができ、接続作業を容易にできるという効果を有する。  
【００５０】
なお、本実施形態において、絶縁板６は、円盤に形成したが、これに限らず、一対のパッド１０ａ，１０ｂにおいて、点灯装置５の出力線１２ａ，１２ｂを基板８との間で挟む込むことができれば、任意の形状、大きさであってもよい。  
【００５１】
また、絶縁板６は、１個のねじ１５により、基板８の一面８ａ側に取り付けられたが、複数個のねじ１５を用いて取り付けられるようにしてもよい。この場合、発光体２および絶縁体６は、複数個のねじ１５により共締めされて筐体４の基板取付面２０に取り付けられるので、基板８を切り欠き部１７において、ねじ１９により放熱板２１に取り付けることを要しなくすることができる。したがって、発光体２および絶縁体６の筐体４の基板取付面２０への取付を簡素にすることができて、その分、照明装置１を安価にできるという効果を有する。  
【００５２】
また、発光体２は、発光素子としてパッケージ品のＬＥＤ素子９を用いたが、これに限らず、ＬＥＤチップを用いて形成してもよい。また、有機エレクトロルミネセンス（ＥＬ）素子などの発光素子を用いてもよい。  
【００５３】
また、口金としてＥ形口金３２を設けたが、これに限らず、例えば差し込み形の口金であってもよい。また、カバー体７は、略球面状でなくてもよく、他端側７ｂが閉塞され一端側７ａが開口されていればその形状が限定されるものでなく、例えば椀状や正方形の箱状であってもよい。また、カバー体７は、透光性のガラスで形成されてもよい。また、筐体４は、滑らかに径大する略円錐台の筒状に限らず、円筒や角筒などの筒状であってもよい。  
【００５４】
また、本実施形態の照明装置１は、ＬＥＤ電球に構成したが、これに限らず、例えば点灯装置５を別置するスポットライトなどの照明装置であってもよい。  
【００５５】
次に、本発明の第２の実施形態について説明する。  
【００５６】
本実施形態の照明装置４１は、電球用ソケットに着脱されるミニクリプトン電球タイプのＬＥＤ電球であり、図５に示すように構成される。なお、図１ないし図３と同一部分には、同一符号を付して説明は省略する。  
【００５７】
照明装置４１は、図１に示す照明装置１において、放熱板２１の外周縁２１ｄ側に開口４２を設けて、この開口４２から点灯装置５の一対の出力線１２ａ，１２ｂを基板８側に引き出すようにしている。また、発光体２Ａの一対のパッド１０ａ，１０ｂは、直列接続されたＬＥＤ素子９よりも基板８の外周縁８ｄ側に設けられている。そして、一対の出力線１２ａ，１２ｂを基板８との間で挟み込む絶縁板４２は、図２に示す絶縁板６よりも小型に形成されて、第１の実施形態と同様にして、基板８の一面８ａ側に取り付けられている。  
【００５８】
本実施形態の照明装置４１は、一対のパッド１０ａ，１０ｂが基板８の外周縁８ｄ側に設けられているので、基板８の一面８ａ側において、ＬＥＤ素子９を所望の数量およびパターンで配置できるという効果を有する。  
【００５９】
なお、第１および第２の実施形態において、絶縁体６，４２の下面および一対のバッド１０ａ，１０ｂの少なくとも一方は、凹凸面に形成されていてもよい。これにより、点灯装置５の一対の出力線１２ａ，１２ｂと発光体２，２Ａの一対のパッド１０ａ，１０ｂとの接触面が大きくなって、一対の出力線１２ａ，１２ｂを一対のパッド１０ａ，１０ｂに、より信頼性よく固定できるとともに電気接続することができる。  
【００６０】
次に、本発明の第３の実施形態について説明する。  
【００６１】
本実施形態の照明器具５１は、図６に示すように構成される。なお、図１と同一部分には、同一符号を付して説明は省略する。  
【００６２】
照明器具５１は、図１に示す照明装置（
ＬＥＤ電球）１を使用するスポットライトであり、不図示のライティングレールに取り付けられる。照明器具５１は、器具本体５２、ソケットとしての電球用ソケット５３、図１に示す照明装置（ＬＥＤ電球）１、セード５４、アーム５５およびプラグ５６を有して構成されている。  
【００６３】
器具本体５２は、外周面５２ａに一対の取付部５７，５７（図６中、一方のみを示す。）を有する略円筒状の箱体に形成されている。器具本体５２は、例えばアルミダイカストにより形成されている。そして、一端側端面５２ｂに電球用ソケット５３を配設している。電球用ソケット５３は、磁器製であり、照明装置１が螺着されて接続されている。  
【００６４】
電球用ソケット５３の一部および照明装置１は、器具本体５２の一端側端面５２ｂに取り付けられたセード５４に収納されている。セード５４は、例えば厚さ０．８ｍｍの鋼板からなり、一端側５４ａよりも他端側５４ｂが幾分径大にされた略円筒状に形成されている。  
【００６５】
そして、器具本体５２は、一対の取付部５７，５７において、一対の調整ナット５８，５８（図６中、一方のみを示す。）を用いてアーム５５に、アーム５５に対して回動可能に取り付けられている。アーム５５は、例えばアルミダイキャストにより、所定長の円筒体に形成されている。そして、アーム５５は、プラグ５６に、プラグ５６に対して回動可能に取り付けられている。  
【００６６】
プラグ５６は、その本体部５９が略円筒状の箱体に形成されている。本体部５９は、例えばポリカーボネート樹脂により形成されている。そして、本体部５９の上面５９ａ側には、ライティングレールの被係止部に係止する一対の係止辺６０，６０およびライティングレールの導電部に電気接続する一対の端子辺６１，６１が設けられている。本体部５９の内部には、一対の端子辺６１，６１に電気接続されている一対の電源端子６２，６２（図６中、一方のみを示す。）が設けられており、この一対の電源端子６２，６２に電源線６３，６３（図６中、一方のみを示す。）が接続されている。そして、本体部５９の下面５９ｂにアーム５５が回動可能に取り付けられている。  
【００６７】
電源線６３，６３は、本体部５９内からアーム５５の内部を通って器具本体５２内に配線され、電球用ソケット５３に電気接続されている。これにより、ライティングレールに外部電源が投入されると、プラグ５６の一対の端子辺６１，６１に外部電源が供給されることにより、電球用ソケット５３が通電される。  
【００６８】
器具本体５２は、調整ナット５８，５８を緩めることにより、アーム５５に対して鉛直方向で０〜９０°回転され、調整ナット５８，５８を締め付けることにより、回転された鉛直角度でアーム５５に固定される。また、器具本体５２は、アーム５５に対して水平方向に回転力を加えることにより、アーム５５がプラグ５６に対して回転することにより、水平方向で０〜３６０°回転する。これにより、照明装置１を所定の方向に向けることができる。  
【００６９】
そして、照明器具５１は、電球用ソケット５３が通電されると、照明装置１の点灯装置５が動作し、発光体２の各ＬＥＤ素子９に所定の定電流が供給される。これにより、複数個のＬＥＤ素子９が点灯し、各ＬＥＤ素子９から白色光が放射される。白色光は、カバー体７から所定の照射方向に出射される。  
【００７０】
本実施形態の照明器具５１よれば、照明装置（ＬＥＤ電球）１が安価に形成されるので、ランニングコストを低減できるという効果を有する。  
【００７１】
なお、本実施形態の照明器具５１は、ライティングレールに取り付けられるスポットライトに構成したが、これに限らず、埋め込み形、吊り下げ形や直付け形などの照明器具であってもよい。  
【００７２】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００７３】
１，４１…照明装置としてのＬＥＤ電球、  ２，２Ａ…発光体、  ４…筐体、  ５…点灯装置、  ６，４２…絶縁体としての絶縁板、  ８…基板、  ９…発光素子としてのＬＥＤ、  １０ａ，１０ｂ…一対のパッド、  ２０…基板取付面、  １２ａ，１２ｂ…一対の出力線、  １４ａ，１４ｂ…案内孔、  ３２…口金としてのＥ形口金、  ５１…照明器具、  ５２…器具本体、  ５３…ソケットとしての電球用ソケット
【図１】
2015162410.tif 000003
【図２】
2015162410.tif 000004
【図３】
2015162410.tif 000005
【図４】
2015162410.tif 000006
【図５】
2015162410.tif 000007
【図６】
2015162410.tif 000008